(57)【要約】      （修正有）【課題】住宅の環境情報データを収集し、解析することによって、適確な住宅管理を提案すること。【解決手段】住宅内に結露が発生しやすい状態であるかどうかの情報を提示するために、複数の温度センサ２１と、温度データの受信、記録、送信を行う環境情報一時保存装置１と、送信された温度データを受信、加工、表示する住宅環境情報データ管理装置３１と、を備え、温度センサ２１は温度センサ固定手段と一体に配設され、少なくとも一つの温度センサは住宅外部に露出するよう配設され、少なくとも一つの温度センサ２１ａは住宅内部に露出するよう配設され、住宅環境情報データ管理装置３１は、温度データを受信する受信手段と、受信した温度データに基づいて温度差情報を作成する加工手段と、加工した温度差情報を出力する出力手段と、を備える。【選択図】図１
2005107796.tif 000002
【特許請求の範囲】
【請求項１】
住宅内に結露が発生しやすい状態であるかどうかの情報を提示するために住宅内外の温度データを記録、表示する住宅環境情報管理システムであって、
前記住宅内外の温度データを検出するための複数の温度センサと、
複数の前記温度センサが検出した温度データの受信、記録、送信を行う環境情報一時保存装置と、
該環境情報一時保存装置から送信された前記温度データを受信、加工、表示する住宅環境情報データ管理装置と、を備え、
複数の前記温度センサは、複数の温度センサを固定可能な温度センサ固定手段と一体に配設され、
複数の前記温度センサのうち、少なくとも一つの温度センサは住宅外部に露出するよう配設され、
複数の前記温度センサのうち、少なくとも一つの温度センサは住宅内部に露出するよう配設され、
前記環境情報一時保存装置は、
複数の前記温度センサから前記温度データを受信する受信手段と、
前記温度データを記憶する記憶手段と、
前記住宅環境情報データ管理装置に、前記温度データを送信する送信手段と、を備え、
前記住宅環境情報データ管理装置は、
前記温度データを受信する受信手段と、
結露が発生しやすい状態であるか否かの判定を行うための情報として、受信した前記温度データに基づいて温度差情報を作成する加工手段と、
加工した前記温度差情報を出力する出力手段と、を備えたことを特徴とする住宅環境情報管理システム。
【請求項２】
前記温度センサ固定手段は、情報コンセントボックスであることを特徴とする請求項１に記載の住宅情報管理システム。
【請求項３】
住宅内に結露が発生しやすい状態であるかどうかの情報を提示するために住宅内外の温度データを受信、加工、表示する住宅環境情報データ管理装置であって、
該住宅環境情報データ管理装置の動作を規定したプログラムを格納する記憶装置と、
外部から情報を受け入れる入力装置と、
前記記憶装置又は／及び前記入力装置から受け取った情報を用いて演算し、演算した結果を前記記憶装置に渡す中央演算処理装置と、を備え、
複数の温度センサを固定可能な温度センサ固定手段と一体に配設され、少なくとも一つは住宅外部に露出し、少なくとも一つは住宅内部に露出するよう配設された複数の温度センサからの信号を受信する環境情報一時保存装置と接続され、
前記環境情報一時保存装置から、前記温度データを受信する受信手段と、
結露が発生しやすい状態であるか否かの判定を行うための情報として、受信した前記温度データに基づいて温度差情報を作成する加工手段と、
加工した前記温度差情報を出力する出力手段と、を備えることを特徴とする住宅環境情報データ管理装置。
【請求項４】
前記温度センサ固定手段は、情報コンセントボックスであることを特徴とする請求項３に記載の住宅環境情報データ管理装置。
【請求項５】
住宅内に結露が発生しやすい状態であるかどうかの情報を提示するために住宅内外の温度データを記録、表示する住宅環境情報管理方法であって、
複数の温度センサを固定可能な温度センサ固定手段と一体に配設され、少なくとも一つは住宅外部に露出し、少なくとも一つは住宅内部に露出するよう配設された複数の温度センサからの信号を受信する環境情報一時保存装置が、
前記温度データを複数の前記温度センサより収集するデータ収集手順と、
収集した前記温度データを記憶手段に登録する登録手順と、
前記温度データを受信、加工、表示する住宅環境情報データ管理装置に、登録された前記温度データを送信するデータ送信手順と、を備え、
前記住宅環境情報データ管理装置が、
送信された前記温度データを受信する受信手順と、
結露が発生しやすい状態であるか否かの判定を行うための情報として、受信した前記温度データに基づいて温度差情報を作成する加工手順と、
加工した前記温度差情報を表示する表示手順と、
を備えたことを特徴とする住宅環境情報データ管理方法。
【請求項６】
前記温度センサ固定手段は、情報コンセントボックスであることを特徴とする請求項５に記載の住宅情報データ管理方法。
【請求項７】
住宅内に結露が発生しやすい状態であるかどうかの情報を提示するために住宅内外の温度データを記録、表示する住宅環境情報管理装置に、
複数の温度センサを固定可能な温度センサ固定手段に固定され、少なくとも一つは住宅外部に露出し、少なくとも一つは住宅内部に露出するよう配設された複数の温度センサからの信号を受信する環境情報一時保存装置より、前記温度データを収集するデータ収集手順と、
結露が発生しやすい状態であるか否かの判定を行うための情報として、収集した前記温度データに基づいて温度差情報を作成する加工手順と、
加工した前記温度差情報を表示する表示手順と、
を実行させるためのプログラム。
【請求項８】
複数の前記温度センサからの温度データを出力するケーブルは、
前記情報コンセントボックスに配設される情報を伝達するためのケーブルと一体としてケーブルカバーで被覆され、前記情報コンセントボックスから引き出されていることを特徴とする請求項２に記載の住宅環境情報管理システム。
【発明の詳細な説明】
【技術分野】
【０００１】
本発明は、住宅環境情報管理システム、住宅環境情報データ管理装置、住宅環境情報データ管理方法並びに住宅環境情報データ管理プログラムに係り、特に住宅各所に設けられたセンサより住宅内外のデータを定期的に収集し、収集したデータを加工して住宅の状態を解析することが可能な住宅環境情報管理システム、住宅環境情報データ管理装置、住宅環境情報データ管理方法並びに住宅環境情報データ管理プログラムに関する。
【背景技術】
【０００２】
近年、センサ技術及びＩＴ技術の向上により、住宅内及び家電機器にセンサを設置し、センサから送信された情報を利用して、住宅の異常を検知したり、各種家電機器の中央集中管理を実施する技術が知られている（例えば、特許文献１、特許文献２参照）。
【０００３】
特許文献１の住宅管理方法は、住宅に建物の環境変化を測定するセンサ群を設けて、住宅の経年変化や自然災害による住宅の構造変化を監視して、異常を発見するためのシステムである。特許文献１の住宅管理方法によると、建物にセンサ用光ファイバを設置して、センサの検出信号をホストコンピュータに送信する。ホストコンピュータが受信した検出信号は、ホストコンピュータ内の監視部において、過去の検出信号と比較され、変化が著しければ、何らかの事故が発生したと判断して住宅の所有者等に警報を発する。
特許文献２の集中情報管理システムは、遠隔制御を活用してマルチメディア対応の多数の宅内情報機器を集中管理するためのシステムである。特許文献２の集中情報管理システムにおいては、温度センサ等のセンサからの測定値は、集中制御監視手段に送信される。各種センサから受信した測定値は、基準値と比較処理されて各種家電機器の集中管理に利用される。例えば、温度センサから送信されてきた温度データは、温度基準値と比較されて、集中冷暖房システムの自動調整のために利用される。
【０００４】
【特許文献１】特開２００２−１４０７７４号公報（第３頁乃至第５頁、図２）
【０００５】
【特許文献２】特開２００３−１７４６８６号公報（第５頁乃至第６頁、図１）
【発明の開示】
【発明が解決しようとする課題】
【０００６】
しかしながら、特許文献１及び特許文献２に記載されたシステムにおいては、各種センサによって各種データを検出するものの、そのデータを保存して住宅状況の解析のために利用するものではない。
【０００７】
近年の住宅は、快適な住環境を実現するため、様々な工夫がなされている。
例えば、空調効率を向上させるために気密性が高く設計されていたり、外部からの騒音を遮蔽し、住宅内部からの生活音の漏洩を防止するために遮音性が高められた設計がなされている場合が多い。
また、内装のデザイン性を高めるために高度な装飾が施されている住宅も多く存在する。
【０００８】
このように、気密性及び遮音性が高い住宅においては、快適な住環境が提供される反面、従来の日本家屋に比して、結露の発生等が問題となることも多い。
すなわち、気密性の高い住宅において暖房器具等が使用された場合には、外気温と室内温度との温度差が大きくなることが想定される。
気密性の高い住宅においては、室内の暖まった空気が外部に漏れ出す可能性は低く、また生活により発生する水蒸気も室内にこもる傾向にある。このように、外気温に比して室内温度が高い状態及び高湿度な状態が発生することにより、結露が発生する可能性が高くなる。
【０００９】
また、気密性が高く、デザイン性を高めるために高度な装飾が施された住宅においては、住宅の建築材料や家具等から発生するホルムアルデヒド等の有害物質濃度が高くなる可能性も高い。
ホルムアルデヒド等の有害物質は、壁紙や建築用接着剤等の建築材料や家具等の生活用品から発生するものであるが、低濃度では人の五感による認識は困難である場合が多い。
しかし、これらの有害物質は、低濃度であっても長期間人体に取込まれることにより、人体に悪影響を及ぼす恐れがある。
【００１０】
結露の発生は、カビの増殖の要因となり住人の健康を脅かす可能性があるうえ、結露の長期的な発生は住宅の躯体の老朽化を促進させ、住宅の資産価値を減少させる要因となるものである。
また、ホルムアルデヒド等の有害物質はシックハウス症候群等を引起す可能性がある。
【００１１】
しかし、これらの諸問題は住人が適切な住宅管理を行うことによって解消される可能性が高いものである。
すなわち、室内が高湿度の場合には、暖房温度の設定を変える等の管理を行うことにより結露が解消される可能性が高い。
同様に、ホルムアルデヒド濃度等の把握は、適切な換気管理を行う上で重要である。
【００１２】
近年は、健康に関する関心及び住宅の資産価値に関する関心が非常に高まっていることもあり、住宅の状態を反映する適正なデータを収集し、そのデータを使用した適確な住宅管理を実施することが望まれている。
【００１３】
本発明は、上記事情に鑑みてなされたものであって、その目的は、客観的な住宅の環境情報データを収集し、解析することによって、適確な住宅管理を提案することが可能な住宅環境情報管理システム、住宅環境情報データ管理装置、住宅環境情報データ管理方法並びに住宅環境情報データ管理プログラムを提供することにある。
また、本発明の他の目的は、簡易な構成で住宅の環境状況データを収集及び解析することが可能な住宅環境情報管理システム、住宅環境情報データ管理装置、住宅環境情報データ管理方法並びに住宅環境情報データ管理プログラムを提供することにある。
【課題を解決するための手段】
【００１４】
前記課題は、請求項１に記載の住宅環境情報管理システムによれば、住宅内に結露が発生しやすい状態であるかどうかの情報を提示するために住宅内外の温度データを記録、表示する住宅環境情報管理システムであって、前記住宅内外の温度データを検出するための複数の温度センサと、複数の前記温度センサが検出した温度データの受信、記録、送信を行う環境情報一時保存装置と、該環境情報一時保存装置から送信された前記温度データを受信、加工、表示する住宅環境情報データ管理装置と、を備え、複数の前記温度センサは、複数の温度センサを固定可能な温度センサ固定手段と一体に配設され、複数の前記温度センサのうち、少なくとも一つの温度センサは住宅外部に露出するよう配設され、複数の前記温度センサのうち、少なくとも一つの温度センサは住宅内部に露出するよう配設され、前記環境情報一時保存装置は、複数の前記温度センサから前記温度データを受信する受信手段と、前記温度データを記憶する記憶手段と、前記住宅環境情報データ管理装置に、前記温度データを送信する送信手段と、を備え、前記住宅環境情報データ管理装置は、前記温度データを受信する受信手段と、結露が発生しやすい状態であるか否かの判定を行うための情報として、受信した前記温度データに基づいて温度差情報を作成する加工手段と、加工した前記温度差情報を出力する出力手段と、を備えることにより解決される。
【００１５】
このように構成されているため、住宅内外の温度データを収集して、温度差情報に加工することが可能となる。
この温度差情報を利用すると、結露の発生要因を解析することが可能となる。
この温度差情報より温度差が大きい状況が継続する時間帯を特定し、結露を防止する対策を提案することが可能となる。
【００１６】
このとき、前記温度センサ固定手段は、情報コンセントボックスであると、住宅に温度センサを設置することが容易となり好適である。
住宅には通常、情報コンセントボックスが設置されているので、この情報コンセントボックスに温度センサを設置すれば、新たに温度センサを支持する部材を導入する必要がなくなる。
また、情報コンセントボックスから引き出される電話線及びＬＡＮケーブル等は、配線ボックスへと延びているため、配線ボックスに環境情報一時保存装置を設置すれば、温度センサから延びているケーブルは、電話線及びＬＡＮケーブルと共に配線ボックスへと導くことができるため、配置スペースの問題が生じない。
更に、情報コンセントボックスと温度センサを一体としてユニット化することにより、情報コンセントボックスを設置する際に同時に温度センサを配置することが可能となり、施工が容易になる。
また、ユニット化することにより大量生産が可能となり製造・施工コストを低減させることが可能となる。
【００１７】
更に、このとき、複数の前記温度センサからの温度データを出力するケーブルは、前記情報コンセントボックスに配設される情報を伝達するためのケーブルと一体としてケーブルカバーで被覆され、前記情報コンセントボックスから引き出されているので、複数のケーブルが一体となって、情報コンセントボックスから配線ボックスへと延びる。
このため、施工が容易となり、壁体内等でケーブルが煩雑に絡み合う等の問題が解消する。
【００１８】
さらに、前記解決課題は、請求項３に記載の住宅環境情報データ管理装置によれば、住宅内に結露が発生しやすい状態であるかどうかの情報を提示するために住宅内外の温度データを受信、加工、表示する住宅環境情報データ管理装置であって、該住宅環境情報データ管理装置の動作を規定したプログラムを格納する記憶装置と、外部から情報を受け入れる入力装置と、前記記憶装置又は／及び前記入力装置から受け取った情報を用いて演算し、演算した結果を前記記憶装置に渡す中央演算処理装置と、を備え、複数の温度センサを固定可能な温度センサ固定手段と一体に配設され、少なくとも一つは住宅外部に露出し、少なくとも一つは住宅内部に露出するよう配設された複数の温度センサからの信号を受信する環境情報一時保存装置と接続され、前記環境情報一時保存装置から、前記温度データを受信する受信手段と、結露が発生しやすい状態であるか否かの判定を行うための情報として、受信した前記温度データに基づいて温度差情報を作成する加工手段と、加工した前記温度差情報を出力する出力手段と、を備えることにより解決される。
このように、構成されているため、環境情報データ装置により住宅内外の温度差を閲覧することが可能となり、結露対策に役立てることができる。
【００１９】
このとき、前記温度センサ固定手段は、情報コンセントボックスであると、住宅に温度センサを設置することが容易となり好適である。
このように構成されていることにより、上述のとおり配置スペースの問題の解消、施工の容易化、コストの低減を図ることができる。
【００２０】
また、前記解決課題は、請求項５に記載の住宅環境情報データ管理方法によれば、住宅内に結露が発生しやすい状態であるかどうかの情報を提示するために住宅内外の温度データを記録、表示する住宅環境情報管理方法であって、複数の温度センサを固定可能な温度センサ固定手段と一体に配設され、少なくとも一つは住宅外部に露出し、少なくとも一つは住宅内部に露出するよう配設された複数の温度センサからの信号を受信する環境情報一時保存装置が、前記温度データを複数の前記温度センサより収集するデータ収集手順と、収集した前記温度データを記憶手段に登録する登録手順と、前記温度データを受信、加工、表示する住宅環境情報データ管理装置に、登録された前記温度データを送信するデータ送信手順と、を備え、前記住宅環境情報データ管理装置が、送信された前記温度データを受信する受信手順と、結露が発生しやすい状態であるか否かの判定を行うための情報として、受信した前記温度データに基づいて温度差情報を作成する加工手順と、加工した前記温度差情報を表示する表示手順と、を備えることにより解決される。
【００２１】
このように構成されていることにより、温度センサからの温度情報を確実に取得することができ、必要なときには、環境情報一時保存装置と住宅環境情報データ管理装置を接続してデータをダウンロードするのみで、温度差情報を閲覧することができる。
【００２２】
このとき、前記温度センサ固定手段は、情報コンセントボックスであると、住宅に温度センサを設置することが容易となり好適である。
このように構成されていることにより、上述のとおり配置スペースの問題の解消、施工の容易化、コストの低減を図ることができる。
【００２３】
更に、前記解決課題は、請求項７に記載の発明によれば、住宅内に結露が発生しやすい状態であるかどうかの情報を提示するために住宅内外の温度データを記録、表示する住宅環境情報管理装置に、複数の温度センサを固定可能な温度センサ固定手段に固定され、少なくとも一つは住宅外部に露出し、少なくとも一つは住宅内部に露出するよう配設された複数の温度センサからの信号を受信する環境情報一時保存装置より、前記温度データを収集するデータ収集手順と、結露が発生しやすい状態であるか否かの判定を行うための情報として、収集した前記温度データに基づいて温度差情報を作成する加工手順と、
加工した前記温度差情報を表示する表示手順と、を実行させるプログラムにより解決される。
このように構成されているため、住宅の住人及び住宅供給業者は、同時に温度情報を閲覧することができ、結露が生じた原因を解析し、解決対策を講じることが可能となる。
【発明の効果】
【００２４】
本発明によれば、住宅内に設置した各種センサによって、住宅の環境を反映する各種環境情報データを検出し、各種センサが検出した各種データは、環境情報一時保存装置に蓄積される。
また、環境情報一時保存装置に蓄積されたデータは、必要に応じて取り出され、住宅に不具合が生じた場合には、その原因を解析するために利用することが可能となる。
特に、室内温度と外気温度を計測して温度差情報を提示することが可能であるため、この温度差情報により結露の原因を解析することが可能となる。
このように、本発明によるシステムを利用すれば、住宅に発生する不具合を解析して、暖房機器の設定温度調整指導や換気指導等の生活状態指導を行うことが可能となる。これらの指導により、住宅に発生する不具合が解消され、住宅の資産価値の向上につながる。
【００２５】
更に、環境情報一時保存装置には、データを取り出すためのコンピュータ接続端子が備えられているため、住宅に不具合が生じた場合には、コンピュータ接続端子に直接コンピュータを接続して各種データを住宅環境情報データ管理装置にダウンロードすることができる。このため、住宅の不具合の原因を住宅環境情報データ管理装置によって解析することが可能となり、不具合の早期解消が可能となる。
【００２６】
また、住宅を建築する際に、センサ類をユニット化して組込むことができるため、専門業者による施工が不要であり、大量生産が可能となる。このため、施工費用等のコストを軽減することが可能となる。
【００２７】
更に、環境情報一時保存装置は顧客の住宅側に設置されており、環境情報一時保存装置に備えられたデータは住宅供給業者が持参する住宅環境情報データ管理装置でダウンロード及びデータ加工が行われる構成であるため、顧客と住宅供給業者は環境情報一時保存装置に蓄えられたデータを同時に認識することとなる。
このため、データが改竄されるといったような不正が行われる可能性が極めて低くなり、客観的な情報の提供が可能となる。
【発明を実施するための最良の形態】
【００２８】
以下、本発明の一実施形態について、図面に基づいて説明する。なお、以下に説明する構成、部材、配置等は、本発明を限定するものではなく、本発明の趣旨の範囲内で各種改変することができるものである。
なお、本明細書中で「コンピュータ」とは、演算装置を備えた情報端末すべてを含む意味である。例えば、スーパーコンピュータ、汎用コンピュータ、オフィスコンピュータ、制御用コンピュータ、ワークステーション、パソコンのほか、携帯情報端末、演算装置を備えた携帯電話、ウェアラブルコンピュータ、電子ペーパー等をも含む。
また、住宅供給業者とは、住宅の建築、販売、管理等を行う者であり、一般的な住宅メーカーを含む。
【００２９】
本実施形態は、住宅内外に設置された温度センサ２１、湿度センサ２２、結露センサ２３、水漏れセンサ２４、震度センサ２５、ＶＯＣ（Ｖｏｌａｔｉｌｅ  Ｏｒｇａｎｉｃ  Ｃｏｍｐｏｕｎｄｓ）センサ２６より出力された環境情報データ（以下単に「データ」と記す）を定期的に記憶し、記憶されたデータを、データ送信指令信号を受けて出力する環境情報一時保存装置としてのデータロガー１から各種データを受信して、各種データの加工及び表示を行う住宅環境情報データ管理装置としてのコンピュータ３１に関するものである。
【００３０】
図１は、本実施形態に係る住宅環境情報管理システムの構成図である。
住宅モニタリングシステムは、温度センサ２１、湿度センサ２２、結露センサ２３、水漏れセンサ２４、震度センサ２５、ＶＯＣセンサ２６、コンピュータ３１、配線ボックス４１、データロガー１、を主要構成とする。
図１のデータロガー１は、住宅一戸につき一つ設置されるものである。各種センサ２１乃至２６は、必要に応じて複数設置されていてもよい。
【００３１】
温度センサ２１は、住宅内外の温度を測定するためのもので、公知の非接触式温度センサが用いられている。
非接触式センサは、公知の放射温度計等であり、赤外線や赤外線の光量子を測定する。
しかし、温度センサ２１は、非接触式温度計に限られるものではなく、接触式温度計を使用してもよい。
本実施形態においては、温度センサ２１は、室内温度センサ２１ａ、壁内温度センサ２１ｂ、外気温度センサ２１ｃの３個の温度センサで構成される。
室内温度センサ２１ａ、壁内温度センサ２１ｂ、外気温度センサ２１ｃは、情報コンセントボックスに取付けられ、情報コンセントボックスと共に住宅内の適所に配設される。
配設場所は、特に限定されず、通常の住宅に配設される公知の情報コンセントボックスの配設場所と同様である。
室内温度センサ２１ａ、壁内温度センサ２１ｂ、外気温度センサ２１ｃの詳細な設置方法は、後述する。
【００３２】
湿度センサ２２は、住宅内の湿度を測定するためのもので、公知のインピーダンス変化型湿度センサが用いられている。
この湿度センサ２２は、湿度の変化によるセンサ材料の電気伝導率変化に伴う抵抗値変化を検出することにより湿度を測定するものである。
しかし、湿度センサはインピーダンス変化型湿度センサに限られるものではなく、静電容量変化型湿度センサ等の他の公知の湿度センサを使用してもよい。
湿度センサ２２は、温度センサ２１が設置されている情報コンセントボックス付近に設置される。
【００３３】
結露センサ２３は、住宅内の結露の発生を検知するためのもので、公知の電気抵抗式結露センサが用いられている。
しかし、結露センサは、電気抵抗式結露センサに限られるものではなく、水晶振動子式結露センサ、光学式結露センサ等の他の公知の結露センサを使用してもよい。
結露センサ２３は、住宅内の、窓付近、ベランダ付近、外界との境界となっている壁面等、結露の発生確率が高い場所に設置される。
【００３４】
水漏れセンサ２４は、住宅内に水漏れが発生したことを検知するためのもので、公知の電極線式水漏れセンサが使用されている。
水漏れセンサ２４は、配水管下部等の水漏れが発生する確率が高い場所に設置される。
【００３５】
震度センサ２５は、住宅に地震による応力が加わったことを検知するためのものであり、公知の非サイズモ系機械式震度センサが用いられている。
しかし、震度センサは、非サイズモ系機械式振動センサに限られるものではなく、公知の非サイズモ系電気式震度センサ、公知のサイズモ系機械式震度センサ、公知のサイズモ系電気式震度センサ等の震度センサ等を使用してもよい。
震度センサ２５は、住宅の基礎部分等、生活振動ができる限り反映されることのない場所に設置される。
【００３６】
ＶＯＣセンサ２６は、空気中に浮遊する揮発性有機化学物質を測定するためのものであり、公知の超高感度熱線型半導体式ＶＯＣセンサが使用されている。
ＶＯＣ（ｖｏｌａｔａｉｌ  ｏｒｇａｎｉｃ  ｃｏｍｐｏｕｎｄ）とは、揮発性有機化学物質のことであり、シックハウス症候群の原因となる物質であると考えられている。
揮発性有機化学物質とは、明確な定義はないが、一般にＷＨＯによる沸点に基づく分類で、沸点約５０℃から約２６０℃の有機物質を指す。
例えば、ホルムアルデヒド、アセトアルデヒド、トルエン、キシレン、クロロホルム、エチルベンゼン等の物質であり、シックハウス症候群の原因物質であると考えられている物質は、約７０種類存在するといわれている。これらの物質は、樹脂製品、接着剤・粘着剤、塗料・インキ、香料・芳香剤、合成繊維、合成皮革、防カビ剤、木材保存剤、洗浄剤・漂白剤、可塑剤、防虫剤・殺虫剤・防蟻剤等に含まれる。
しかし、ＶＯＣセンサは、超高感度熱線型半導体式ＶＯＣセンサに限られるものではなく、公知の高分子薄膜式ＶＯＣセンサ等を使用してもよい。
本実施形態においては、ＶＯＣとしてホルムアルデヒド濃度を検出し蓄積する構成とした。
ＶＯＣセンサ２６は、住宅内壁面下部に設置される。
【００３７】
コンピュータ３１は、公知のパーソナルコンピュータであり、データの受信、加工、表示を行う。
コンピュータ３１の簡略構成とデータロガー１との接続状態を図２に示す。
コンピュータ３１は、ＣＰＵ３２、ＨＤＤ３３、ＲＡＭ３４、ＲＯＭ３５、及び不図示の記憶媒体装置、キーボード、表示装置等を備える。
このコンピュータ３１は、必要に応じてデータロガー１と接続され、データロガー１に蓄積されたデータは、コンピュータ３１へダウンロードされる。
コンピュータ３１のＲＯＭ３５には、住宅環境情報データ管理プログラムが格納されている。この住宅環境情報データ管理プログラムは、データロガー１よりダウンロードしたデータを加工及び表示するためのものである。
ＰＣインターフェイス３６は、データロガー１との間のインターフェイスである。
コンピュータ３１とデータロガー１は、データロガー１の接続端子１ａに接続したケーブルによって接続されている。
【００３８】
配線ボックス４１は、公知の配線ボックスであり、住宅の室内の一箇所に設置されている。なお、配線ボックス４１は、プライバシー保護のため施錠可能となっている。
図１の配線ボックス４１は、配線ボックス４１の蓋を開けた状態を模式的に示している。
【００３９】
データロガー１は、住宅内外に設置された各種センサから出力されるデータを定期的に収集して記憶し、データ送信指令信号を受けて、記憶したデータを出力する。データロガー１は、配線ボックス４１の予備空間に配設される。
データロガー１の構成とコンピュータ３１との接続状態を図２に示す。
データロガー１は、データの演算・制御を行う中央演算処理装置としてのＣＰＵ１１、記憶装置であるメモリ１２、ＲＡＭ１３、ＲＯＭ１４、温度センサ２１、湿度センサ２２、結露センサ２３、水漏れセンサ２４、震度センサ２５、ＶＯＣセンサ２６との間のインターフェイスであるセンサインターフェイス１５、コンピュータ３１との間のインターフェイスであるＰＣインターフェイス１６を備えている。
【００４０】
ＣＰＵ１１は、ＲＯＭ１４に記憶されているプログラムにしたがって各種の処理を実行し、各機能構成群の動作管理や各信号の入出力制御など、所定の処理を実行するための中枢的役割を担うものである。
メモリ１２、ＲＡＭ１３、ＲＯＭ１４は、記憶装置である。
メモリ１２には、各データが記憶される。
例えば、メモリ１２には、センサインターフェイス１５を通じて温度センサ２１、湿度センサ２２、結露センサ２３、水漏れセンサ２４、震度センサ２５、ＶＯＣセンサ２６から受信した各データが蓄積される。
本実施形態では、少なくとも過去１年分のデータが格納可能なメモリ１２が搭載されたデータロガー１が使用されている。
メモリ１２に格納された住宅環境情報データは、１２ヶ月毎に図示しない住宅供給業者等が所有するモニタリングデータ管理装置にインターネット回線を介して送信される。
しかし、メモリ１２に蓄積された住宅環境情報データの処理はこれに限られることはなく、１２ヶ月毎に消去しても良いし、他の記憶媒体に移植しても良い。
【００４１】
ＲＡＭ１３には、ＣＰＵ１１が各種の処理を実行する上において必要なデータなどが適宜記憶される。
ＲＯＭ１４には、データロガー１が実行する各種のプログラムが格納されている。
【００４２】
センサインターフェイス１５は、温度センサ２１、湿度センサ２２、結露センサ２３、水漏れセンサ２４、震度センサ２５、ＶＯＣセンサ２６との間のインターフェイスである。
ＰＣインターフェイス１６は、コンピュータ３１との間のインターフェイスである。データロガー１は、接続端子１ａに接続したケーブルによって、コンピュータ３１と接続されている。
【００４３】
次に、本実施形態のデータロガー１を用いて、ある住宅の住宅環境情報を示すデータを収集する動作、コンピュータ３１を用いてデータロガー１が収集したデータを受信して、受信したデータを加工・表示させる動作について説明する。
本実施形態のデータロガー１は、温度センサ２１、湿度センサ２２、ＶＯＣセンサ２６からのデータ、結露センサ２３、水漏れセンサ２４、震度センサ２５からの検知信号を常時受信する。
ＣＰＵ１１は、１０分毎に温度センサ２１、湿度センサ２２、ＶＯＣセンサ２６から受信しているデータを規定する数値信号に変換して、メモリ１４の住宅環境情報テーブル３００に記録する。
【００４４】
同様に、ＣＰＵ１１は、結露センサ２３、水漏れセンサ２４、震度センサ２５より検出信号を受信している場合には、後述する住宅環境情報テーブル３００に「１」を記録し、検出信号を受信していない場合には「０」を記録する。
このようにして、データロガー１のメモリ１４には、温度センサ２１、湿度センサ２２、結露センサ２３、水漏れセンサ２４、震度センサ２５、ＶＯＣセンサ２６から送信される住宅環境情報データが１０分毎に記録される。
【００４５】
メモリ１４の住宅環境情報テーブル３００を図３に示す。
年月日３０１には、データ収集日が記録され、時間３０２には、データ収集時間が記録される。本実施形態では各センサからの情報は１０分毎に記録される。
温度Ａ３０３には室内温度センサ２１ａからのデータ、温度Ｂ３０４には壁内温度センサ２１ｂからのデータ、温度Ｃ３０５には外気温度センサ２１ｃからのデータが記録される。
湿度３０６には湿度センサ２２からのデータが記録される。
結露３０７には結露センサ２３からのデータが記録される。結露３０７の列には、結露センサ２３が結露を検出した場合には「１」が、結露センサ２３が結露を検出していない場合には「０」が記録される。
水漏れ３０８には、水漏れセンサ２４からのデータが記憶される。
水漏れ３０８の列には、水漏れセンサ２４が水漏れを検出した場合には「１」が、水漏れセンサ２４が水漏れを検出していない場合には「０」が記録される。
震度３０９には、震度センサ２５からのデータが記憶される。
震度３０９の列には、震度センサ２５が振動を検出した場合には「１」が、震度センサ２５が振動を検出していない場合には「０」が記録される。
ただし、本実施形態においては「０」か「１」を記録する構成としたが、振動の程度を８段階式の「震度」として表示するよう構成しても良い。
ＶＯＣ濃度３１０には、ＶＯＣセンサ２６からのデータが記録される。
【００４６】
例えば、２００３年９月３０日の午前０時２０分の時点では、室内温度２５．５℃、壁内温度１８．６℃、外気温度１７．５℃、湿度５０％、結露が発生、水漏れなし、振動無し、ＶＯＣ濃度０．０７ｐｐｍ、であったことが記憶されている。
【００４７】
次に、コンピュータ３１で住宅環境情報のデータを閲覧する動作について説明する。
データロガー１とコンピュータ３１をケーブルで接続して、住宅供給業者等が住宅環境情報表示プログラムを立ち上げると、表示画面に図４の住宅環境情報データ管理プログラムの初期画面４００が表示される。
初期画面４００は、データロガー１にデータ送信信号を送信して、データロガー１に蓄積されているデータをダウンロードするための画面である。
初期画面４００には、データダウンロードボタン４０１、終了ボタン４０２が表示されている。
【００４８】
データダウンロードボタン４０１は、データロガー１にデータ送信指令信号を送信し、データロガー１に蓄積されたデータをダウンロードするためのボタンである。
データダウンロードボタン４０１が選択されると、データロガー１からのデータダウンロードを開始する。
終了ボタン４０２は、住宅環境情報データ管理プログラムを終了させるためのボタンであり、終了ボタン４０２を選択すると全ての処理は終了する。
【００４９】
データのダウンロードが終了すると、画面は自動的に図５の選択画面５００に切り替わるよう構成されている。
選択画面５００は、閲覧したい情報を選択するための画面である。
選択画面５００には、温度・湿度・結露グラフボタン５０１、ＶＯＣ濃度グラフボタン５０２、結露・水漏れ・震度検出時間表ボタン５０３、終了ボタン５０４、が表示されている。
温度・湿度・結露グラフボタン５０１は、３時間分の温度データ、湿度データ、結露データのグラフを表示するためのボタンである。
ＶＯＣ濃度グラフボタン５０２は、３時間分のＶＯＣ濃度グラフを表示するためのボタンである。
結露・水漏れ・震度検出時間表ボタン５０３は、結露、水漏れ、震度が検出された時間の一覧表を表示するためのボタンである。
終了ボタン５０４は、住宅環境情報表示プログラムを終了させるためのボタンであり、終了ボタン５０４を選択すると全ての処理は終了する。
【００５０】
選択画面５００で、温度・湿度・結露グラフボタン５０１を選択すると、画面には図６の温度・湿度・結露グラフ画面６００が表示される。
温度・湿度・結露グラフ画面６００には、温度・湿度・結露グラフ６０１、次の３時間表示ボタン６０２、印刷ボタン６０３、戻るボタン６０４、終了ボタン６０５、が表示されている。
【００５１】
温度・湿度・結露グラフ６０１には、湿度折れ線６０６、室内温度折れ線６０７、壁体内温度折れ線６０８、外気温度折れ線６０９、が表示されており、横軸に示す時間に収集されたデータ値がグラフ上にプロットされている。
縦軸は２軸あり、左側縦軸６１０には温度が、右側縦軸６１１には湿度が目盛られている。よって、湿度折れ線６０６のデータを読む場合には、右側縦軸６１１の目盛を読み、室内温度折れ線６０７、壁体内温度折れ線６０８、外気温度折れ線６０９のデータを読む場合には、左側縦軸６１０の目盛を読む。
各データは、黒色のマーク（中空丸印、黒丸、バツ、四角）でプロットされるが、結露が検出された場合には、結露が発生した時間の各データの表示マークの色を、赤色に変えて表示する。このように構成されていることで、各温度データ、湿度データ、結露発生状況を一画面で認識することができる。
【００５２】
次の３時間表示ボタン６０２は、次の３時間分の温度・湿度・結露グラフを表示させるためのボタンである。
次の３時間表示ボタン６０２を選択すると、続きの３時間分の温度・湿度・結露グラフを表示させることができる。
例えば、図６において次の３時間表示ボタン６０２を選択すると、３時から６時までの温度・湿度・結露グラフが表示される。画面構成は、図６と同様である。
ただし、次の３時間にあたるデータが存在しない場合には、次の３時間表示ボタン６０２の表示が薄くなり、選択することができなくなるように構成されている。
【００５３】
本実施形態では、温度及び湿度のデータを１０分毎にプロットする構成としたが、温度及び湿度のデータをプロットする間隔はこれに限られるものではなく、３０分毎、１時間毎等、どのような間隔であっても良い。
また、本実施形態では、一画面に３時間分のグラフを表示する構成としたが、一画面に表示する期間はこれに限られるものではなく、１日分、１週間分等、どのような期間分を表示しても良い。
【００５４】
印刷ボタン６０３を選択すると、コンピュータ３１に接続されたプリンター等により、温度・湿度・結露グラフ６０１が印刷される。
戻るボタン６０４を選択すると、画面は、図５の選択画面５００に切り替わる。
終了ボタン６０５を選択すると、住宅環境情報データ管理プログラムの全ての処理は終了する。
【００５５】
この温度・湿度・結露グラフ６０１を参照すれば、結露発生の要因を解析することが可能となる。
結露とは、物体表面で湿度が１００％以上になったとき、水蒸気が凝集する現象である。
住宅においては、一般的に、暖房等の影響で室内温度が高くなり外気温との温度差が大きくなった場合に、室外と室内の境界に存在する窓や壁等に水滴が発生する。これは、窓や壁等で、室内の暖かい空気が急激に冷却され、空気の飽和水蒸気量が急激に減少するために起こるものである。
また、冬季の夜間等の外気温が低いときに、高気密性の住宅を長時間閉め切っていた場合にも、住宅内部の住人が発散する水蒸気により室内が高湿度となるために結露が発生する場合がある。
よって、例えば、室内温度と外気温との温度差が一定値を超えた場合には、結露が発生したのは、住人の部屋の使用方法に問題があるとして、注意を促すことが可能である。
【００５６】
このように、本実施形態の温度・湿度・結露グラフを作成することにより、結露が発生した時間帯の外気温、壁内温度、室内温度、湿度が認識でき、結露の発生した要因を解析することが可能となるものである。
また、壁内温度を外気温及び室内温度と比較することによって、住宅の気密性を解析することが可能となる。
【００５７】
選択画面５００で、ＶＯＣ濃度グラフボタン５０２を選択すると、画面には図７のＶＯＣ濃度グラフ画面７００が表示される。
ＶＯＣ濃度グラフ画面７００には、ＶＯＣ濃度グラフ７０１、次の３時間表示ボタン７０２、印刷ボタン７０３、戻るボタン７０４、終了ボタン７０５、が表示されている。
ＶＯＣ濃度グラフ７０１は、ホルムアルデヒド濃度折れ線７０６、ホルムアルデヒド基準値線７０７、が表示されており、横軸に示す時間に収集されたデータがプロットされている。
【００５８】
縦軸にはＶＯＣ濃度が目盛られおり、ホルムアルデヒド濃度折れ線７０６のデータを読む場合には、縦軸の目盛を読む。
ホルムアルデヒド基準線７０７は、ホルムアルデヒド濃度が、０．０８ｐｐｍの値に設定されている。この値は、厚生労働省が定めるホルムアルデヒドの室内濃度基準値である。
データは、黒色のマークでプロットされるが、ホルムアルデヒド濃度がホルムアルデヒド基準線を越えて検出された場合には、ホルムアルデヒド基準値線７０７を越えた時間のデータ表示マークの色を赤色に変えて表示する。
このように構成されていることで、ホルムアルデヒド濃度の時間推移を認識することができる。
【００５９】
次の３時間表示ボタン７０２は、次の３時間分のＶＯＣ濃度グラフを表示させるためのボタンである。
次の３時間表示ボタン７０２を選択すると、続きの３時間分のＶＯＣ濃度グラフを表示させることができる。
例えば、図７において次の３時間表示ボタン７０２を選択すると、３時から６時までのＶＯＣ濃度グラフが表示される。画面構成は、図７と同様である。
ただし、次の３時間にあたるデータが存在しない場合には、次の３時間表示ボタン７０２の表示が薄くなり、選択することができなくなるように構成されている。
【００６０】
本実施形態では、ホルムアルデヒド濃度のデータを１０分毎にプロットする構成としたが、ホルムアルデヒド濃度のデータをプロットする間隔はこれに限られるものではなく、３０分毎、１時間毎等、どのような間隔であっても良い。
また、本実施形態では、一画面に３時間分のグラフを表示する構成としたが、一画面に表示する期間はこれに限られるものではなく、１日分、１週間分等、どのような期間分を表示しても良い。
更に、本実施形態においては、ＶＯＣとしてホルムアルデヒドを検出する構成としたが、ＶＯＣの種類としてはこれに限られるものではなく、一般にＶＯＣと称呼されるどの物質を選択してもよいし、複数の物質をグラフに併せて表示してもよい。また、ＶＯＣと称呼される物質の総和を表示するように構成してもよい。
【００６１】
印刷ボタン７０３を選択すると、コンピュータ３１に接続されたプリンター等により、ＶＯＣ濃度グラフ７０１が印刷される。
戻るボタン７０４を選択すると、画面は、図５の選択画面５００に切り替わる。
終了ボタン７０５を選択すると、住宅環境情報表示プログラムの全ての処理は終了する。
【００６２】
一般的に、ホルムアルデヒド濃度は、０．１０ｐｐｍ以上で臭気を感じ、０．２５ｐｐｍ以上であると呼吸にわずかな抵抗を感じ、０．５０ｐｐｍ以上では、目や喉に刺激を感じるといわれているが、人間の五感では正確に濃度を認識することは困難である。しかし、人間が感知できない程度の濃度であっても、ＶＯＣの継続的な摂取は人体に悪影響を及ぼす恐れがある。
よって、本実施形態のＶＯＣ濃度グラフを作成することにより、ＶＯＣ濃度の時間推移を認識することが可能となり、換気のタイミングや住宅のリフォーム等の提案を行うことができる。
例えば、室内が閉め切られた就寝時間中にホルムアルデヒド濃度が上昇するような場合には、室内にホルムアルデヒドの発生要因が存在する可能性が高いので、対策を講じるよう提案することができる。
【００６３】
選択画面５００で、結露・水漏れ・震度検出時間表ボタン５０３を選択すると、画面には図８の結露・水漏れ・震度検出時間表画面８００が表示される。
結露・水漏れ・震度検出時間表画面８００には、結露・水漏れ・震度検出時間表８０１、前ページ表示ボタン８０２、次ページ表示ボタン８０３、戻るボタン８０４、印刷ボタン８０５、終了ボタン８０６が表示されている。
結露・水漏れ・震度検出時間表８０１には、結露センサ、水漏れセンサ、震度センサの総検知回数と各発生時刻が表示される。
作表対象期間欄８０７には、データロガー１にデータが蓄積されていた期間が表示される。
【００６４】
結露・水漏れ・震度検出時間表８０１には、結露８０８、水漏れ８０９、震度８１０の項目が表示され、各項目毎に発生総回数及び発生時間が表示される。
例えば、図８の例によれば、２００３年９月３０日０時から２００３年１０月２日１２時までの期間に、結露が５回発生し、水漏れ及び震度は検出されなかったことがわかる。
また、結露は、９月３０日の０時２０分、０時３０分、０時４０分、０時５０分に発生していたことがわかる。
前ページ表示ボタン８０２は、現在表示されている結露・水漏れ・震度検出時間表８０１より前の結露・水漏れ・震度検出時間表８０１を表示させるためのボタンである。
前ページ表示ボタン８０２を選択すると、前ページの結露・水漏れ・震度検出時間表８０１を表示させることができる。
ただし、現在表示されている頁が先頭ページである場合には、前ページ表示ボタン８０２の表示が薄くなり、選択することができなくなるように構成されている。
【００６５】
次ページ表示ボタン８０３は、続きの結露・水漏れ・震度検出時間表８０１を表示させるためのボタンである。
次ページ表示ボタン８０３を選択すると、続きの結露・水漏れ・震度検出時間表８０１を表示させることができる。
例えば、図８においては、結露の総発生回数５回のうち４回分の発生時間が表示されているので、次ページ表示ボタン８０３を選択すると、残りの１回分の結露発生時間が表示された結露・水漏れ・震度検出時間表８０１が表示されることとなる。この次ページの結露・水漏れ・震度検出時間表８０１の画面構成は、図８と同様である。
ただし、次のページが存在しない場合には、次のページ表示ボタン８０３の表示が薄くなり、選択することができなくなるように構成されている。
【００６６】
戻るボタン８０４を選択すると、画面は、図５の選択画面５００に切り替わる。
印刷ボタン８０５を選択すると、コンピュータ３１に接続されたプリンター等により、結露・水漏れ・震度検出時間表８０１が印刷される。
終了ボタン８０６を選択すると、住宅環境情報表示プログラムの全ての処理は終了する。
【００６７】
図９は、データロガー１よりコンピュータ３１へデータをダウンロードして、表示させるまでの処理を示すフローチャートである。
図９のフローチャートの処理は、コンピュータ３１のＣＰＵ３２で制御されている。
データロガー１とコンピュータ３１を接続して住宅環境情報データ管理プログラムを立ち上げ、データロガー１からのデータダウンロードを開始したことにより一連の処理はスタートする。
【００６８】
処理がスタートすると、ステップＳ９０１でダウンロードが終了したかどうか判断される（ステップＳ９０１）。
ダウンロードが終了していないと判断した場合（ステップＳ９０１：Ｎｏ）、ステップＳ９０２で所定時間が経過したかどうかを判断する（ステップＳ９０２）。
ステップＳ９０２で所定時間、例えば１分が経過していないと判断した場合（ステップＳ９０２：Ｎｏ）、処理はＳ９０１に戻り、ダウンロードが終了したかどうかを再度判断する（ステップＳ９０１）。
ステップＳ９０２で所定時間、例えば１分が経過したと判断した場合（ステップＳ９０２：Ｙｅｓ）、処理は終了する。所定時間、例えば１分が経過したにもかかわらず、ダウンロードが終了ないということは、ダウンロードを開始して十分な時間が経過しているにも係らずダウンロードが終了しない場合であり、何らかの異常が発生している可能性が高いため処理を終了することとしたものである。
【００６９】
ステップＳ９０１でダウンロードが終了したと判断した場合（ステップＳ９０１：Ｙｅｓ）、ステップＳ９０３で選択画面５００を表示する（ステップＳ９０３）。
次いで、ステップＳ９０４で温度・湿度・結露グラフボタン５０１が選択されたかどうかを判断する（ステップＳ９０４）。
温度・湿度・結露グラフボタン５０１が選択されたと判断した場合、ステップＳ９０８で温度・湿度・結露グラフ６０１の作成・表示を行い（ステップＳ９０８）、処理を終了する。
【００７０】
ステップＳ９０４で温度・湿度・結露グラフボタン５０１が選択されていないと判断した場合（ステップＳ９０４：Ｎｏ）、ステップＳ９０５でＶＯＣ濃度グラフボタン５０２が選択されたかどうかを判断する（ステップＳ９０５）。
ＶＯＣ濃度グラフボタン５０２が選択されたと判断した場合（ステップＳ９０５：Ｙｅｓ）、ステップＳ９０９でＶＯＣ濃度グラフ７０１の作成・表示を行い（ステップＳ９０９）、処理を終了する。
【００７１】
ステップＳ９０５でＶＯＣ濃度グラフボタン５０２が選択されていないと判断した場合（ステップＳ９０５：Ｎｏ）、ステップＳ９０６で結露・水漏れ・震度発生時間表ボタン５０３が選択されたかどうかを判断する（ステップＳ９０６）。
結露・水漏れ・震度発生時間表ボタン５０３が選択されたと判断した場合（ステップＳ９０６：Ｙｅｓ）、ステップＳ９１０で結露・水漏れ・震度発生時間表８０１の作成・表示を行い（ステップＳ９１０）、処理を終了する。
【００７２】
ステップ９０６で結露・水漏れ・震度発生時間表ボタン５０３が選択されていないと判断した場合（ステップＳ９０６：Ｎｏ）、ステップＳ９０７で終了ボタン５０４が選択されたかどうかを判断する（ステップＳ９０７）。
終了ボタン５０４が選択されたと判断した場合（ステップＳ９０７：Ｙｅｓ）、処理は終了する。
終了ボタン５０４が選択されていないと判断した場合（ステップＳ９０７：Ｎｏ）、処理はステップＳ９０４に戻り、再度温度・湿度・結露グラフボタン５０１が選択されたかどうかを判断する（ステップＳ９０４）。
【００７３】
次に、本実施形態に用いられる、温度センサの設置状態を説明する。
図１０は、情報コンセントボックス１００の設置状態の説明図であり、図１２は情報コンセントボックス１００の斜視図である。
なお、図１０においては、説明のため温度センサからの出力ケーブルを点線で記載しているが、他のケーブル類は図示を省略してある。
本実施形態に係る情報コンセントボックス１００は、コンセントプレート１０１、本体１０２、温度センサ支持体１０３、を主要構成とし、コンセントプレート１０１には室内温度センサ２１ａ、本体１０２には壁内温度センサ２１ｂ、温度センサ支持体１０３には外気温度センサ２１ｃが設置される。
【００７４】
コンセントプレート１０１は、樹脂製の板体であり、公知のコンセントププレートからなる。
コンセントプレート１０１には、図示しない電話回線用及びＬＡＮケーブル接続用のモジュラージャック取付孔、室内温度センサ取付孔が形成されている。
コンセントプレート１０１の室内温度センサ取付孔には、室内温度センサ２１ａが配設される。室内温度センサ２１ａは、コンセントプレート１０１の室内側の面にセンサ部を露出させた状態で配設される。
【００７５】
本体１０２は、コンセントプレート１０２側に開口面を有する筺体であり、壁内温度センサ取付孔が形成されている。本体１０２は、内部にモジュラージャック及びケーブル類が収納されている。
本体１０２の外壁側の面１０２ａには、温度センサ配設用の取付孔が形成されており、この取付孔に壁内温度センサ２１ｂが配設される。壁内温度センサ２１ｂは、本体１０２の外壁側の面１０２ａにセンサ部を露出させた状態で配設される。
また、外壁Ｗａ側の面１０２ａの中央部付近には、温度センサ２１ｃの出力ケーブルである室外温度ケーブル１０４ｃを本体１０２内に引き込むための引き込み孔１０２ｂが形成されている。
【００７６】
温度センサ支持体１０３は、中空の円筒体である。
温度センサ支持体１０３の一端は、引き込み孔１０２ｂを覆う状態で、外壁Ｗａ側の面１０２ａに固定される。すなわち、温度センサ支持体１０３の中空部と引き込み孔１０２ｂは連通した状態となるため、室外温度ケーブル１０４ｃは、温度センサ支持体１０３の中空部から、引き込み孔１０２ｂを貫通して本体１０２内部に引き込まれる。
また、他端である室外端部１０３ａは、外壁Ｗａに設けられた取付孔より露出している。
なお、温度センサ支持体１０３は、温度センサ固定手段に相当する。
外気温度センサ２１ｃは、室外端部１０３ａよりセンサ部を露出させた状態で、温度センサ支持体１０３の中空部内壁に固定されている。
【００７７】
室内温度センサ２１ａ及びモジュラージャックが取付けられたコンセントプレート１０１は、壁内温度センサ２１ｂと、外気温度センサ２１ｃを固定した温度センサ支持体１０３が取付けられた本体１０２の開口面を覆った状態で固定され、内壁Ｗｂに設けられた取付孔にコンセントプレート１０１が室内に露出する状態で設置される。
【００７８】
温度センサ支持体１０３は、住宅供給業者が供給する住宅の壁厚さに適合するよう複数の種類が設けられるものである。住宅供給業者が供給する住宅の壁厚は規格化されている場合が多いため、温度センサを配設した情報コンセントボックス１００はユニット化し、大量生産することが可能である。このため、生産コストの軽減及び施工の容易化を図ることができる。
【００７９】
次に、情報コンセントボックス１００から引き出されるケーブル１０４を説明する。
図１１は、情報コンセントボックス１００から引き出されるケーブル１０４の断面図である。
図１１に示すように、室内温度センサ２１ａの室内温度ケーブル１０４ａ、壁内温度センサ２１ｂの壁体内温度ケーブル１０４ｂ、室外温度センサ２１ｃの室外温度ケーブル１０４ｃ、電話線１０４ｄ、ＬＡＮケーブル１０４ｅは、ケーブルカバー１０４ｆで纏められ、一本のケーブル１０４として情報コンセントボックス１００から引き出されている。
【００８０】
本システムは、例えば、住宅供給業者が、住宅を購入した顧客に対するアフターサービスとして利用することが考えられる。
本システムを利用して、住宅を購入した顧客に対する暮らし方の指導を行うことにより、販売した住宅の資産価値を高めることが可能となる。
このことは、自社製品の価値を高めるとともに、宣伝効果を向上させることにもつながる。
【図面の簡単な説明】
【００８１】
【図１】本発明の一実施形態に係る住宅環境情報管理システムの構成図である。
【図２】本発明の一実施形態に係るデータロガーと住宅環境情報データ管理装置の結合状態の説明図である。
【図３】本発明の一実施形態に係るデータロガーのテーブル構成図である。
【図４】本発明の一実施形態に係る住宅環境情報データ管理装置の初期画面である。
【図５】本発明の一実施形態に係る住宅環境情報データ管理装置の選択画面である。
【図６】本発明の一実施形態に係る住宅環境情報データ管理装置の温度・湿度・結露グラフ表示画面である。
【図７】本発明の一実施形態に係る住宅環境情報データ管理装置のＶＯＣ濃度グラフ表示画面である。
【図８】本発明の一実施形態に係る住宅環境情報データ管理装置の結露・水漏れ・震度検出時間表表示画面である。
【図９】本発明の一実施形態に係る住宅環境情報データ管理装置により実行される処理のフローチャートである。
【図１０】本発明の一実施形態に係る情報コンセントボックスの設置状態を示す説明図である。
【図１１】本実施形態の一実施例に係る情報コンセントボックスから引き出されるケーブルの断面図である。
【図１２】本発明の一実施形態に係る情報コンセントボックスの斜視図である。
【符号の説明】
【００８２】
１  データロガー
１ａ  接続端子
１１  ＣＰＵ
１２  メモリ
１３  ＲＡＭ
１４  ＲＯＭ
１５  センサインターフェイス
１６  ＰＣインターフェイス
２１  温度センサ
２１ａ  室内温度センサ
２１ｂ  壁内温度センサ
２１ｃ  外気温度センサ
２２  湿度センサ
２３  結露センサ
２４  水漏れセンサ
２５  震度センサ
２６  ＶＯＣセンサ
３１  コンピュータ
３２  ＣＰＵ
３３  ＨＤＤ
３４  ＲＡＭ
３５  ＲＯＭ
４１  配線ボックス
１００  情報コンセントボックス
１０１  コンセントプレート
１０２  本体
１０３  温度センサ支持体
１０４  ケーブル
１０４ａ  室内温度ケーブル
１０４ｂ  壁内温度ケーブル
１０４ｃ  外気温度ケーブル
１０４ｄ  電話線
１０４ｅ  ＬＡＮケーブル
１０４ｆ  ケーブルカバー
３００  住宅環境情報テーブル
４００  初期画面
５００  選択画面
６００  温度・湿度・結露グラフ画面
６０１  温度・湿度・結露グラフ
７００  ＶＯＣ濃度画面
７０１  ＶＯＣ濃度グラフ
８００  結露・水漏れ・震度検出時間表画面
８０１  結露・水漏れ・震度検出時間表
Ｗａ  外壁
Ｗｂ  内壁
【図１】
2005107796.tif 000003
【図２】
2005107796.tif 000004
【図３】
2005107796.tif 000005
【図４】
2005107796.tif 000006
【図５】
2005107796.tif 000007
【図６】
2005107796.tif 000008
【図７】
2005107796.tif 000009
【図８】
2005107796.tif 000010
【図９】
2005107796.tif 000011
【図１０】
2005107796.tif 000012
【図１１】
2005107796.tif 000013
【図１２】
2005107796.tif 000014